(57)【要約】【課題】十分な強度を確保して耐久性を向上しうるとともに、床鳴り等を効果的に抑制しうる。【解決手段】家屋の床下の土間コンクリートＤに立設される複数の束材２と、該束材２に固定支持されかつ互いに平行にのびて隣り合う複数の大引３とを含む大引構造体１及びその施工方法である。大引３の長手方向と直角にのびかつ隣り合う全ての大引３を連結する連結材４が、大引３の長手方向に、距離を隔てて少なくとも２本設けられている。【選択図】図１
2011106116.tif 000002
【特許請求の範囲】
【請求項１】
家屋の床下の土間コンクリートに立設される複数の束材と、該束材に固定支持されかつ互いに平行にのびて隣り合う複数の大引とを含む大引構造体であって、
前記大引の長手方向と直角にのびかつ隣り合う全ての該大引を連結する連結材が、該大引の長手方向に距離を隔てて少なくとも２本設けられていることを特徴とする大引構造体。
【請求項２】
前記各大引は、第１の大引と、該第１の大引の長手方向に突き合わされて同一直線状にのびる第２の大引とを含み、
前記束材は、前記第１の大引と前記第２の大引とを連結する連結束材を含み、
前記連結材の少なくとも１本は、前記連結束材に固定される請求項１記載の大引構造体。
【請求項３】
前記束材は、前記第１の大引と前記第２の大引とが突き合わされる突合せ部とは反対側の第１の大引の端部を固定支持する端部束材を含むとともに、
前記連結材の少なくとも１本は、前記端部束材に固定される請求項２記載の大引構造体。
【請求項４】
前記束材は、前記土間コンクリートに固着される基部と、該基部から垂直にのびかつ長さ調節可能な支持脚と、該支持脚の上端部に設けられかつ前記大引を下から受ける受材とを含み、
前記連結材は、前記束材の前記受材に固着される請求項１乃至３の何れかに記載の大引構造体。
【請求項５】
前記連結材には、隣り合う前記大引の配設ピッチを示す表示部を有する請求項１乃至４の何れかに記載の大引構造体。
【請求項６】
第１の大引の下面側に束材を固着するとともに、複数の前記第１の大引を土間コンクリート上に互いに平行に隣り合わせて仮置きする工程と、
隣り合う全ての前記第１の大引を、該第１の大引の長手方向と直角にのび、かつ該第１の大引の長手方向に距離を隔てた少なくとも２本の連結材で直接又は束材を介して連結する工程と、
前記連結材が水平となるように前記束材の垂直方向の長さを調節し前記各第１の大引の高さを揃える工程と、
前記束材の下端側を、前記土間コンクリートに固着する工程と、
第２の大引の下面側に束材を固着するとともに、複数の前記第２の大引をそれぞれ前記第１の大引の一端側と突き合わせかつ突合せ部を束材を介して連結する工程と、
前記束材の垂直方向の長さを調節して、前記各第２の大引の高さを揃える工程と、
前記第２の大引に固定された束材を、前記土間コンクリートに固着する工程とを含むことを特徴とする大引構造体の施工方法。
【請求項７】
前記連結材を、前記第１の大引の前記突き合わせ部と反対側の前記第２の大引の端部に固定された前記束材に固定する工程をさらに含む請求項６記載の大引構造体の施工方法。
【発明の詳細な説明】
【技術分野】
【０００１】
本発明は、十分な強度を確保して耐久性を向上しうるとともに、床鳴り等を効果的に抑制しうる大引構造体及びその施工方法に関する。
【背景技術】
【０００２】
近年の工業化住宅の床を施工する際には、例えば、床パネルの設置に先立ち、床下の土間コンクリート上に立設される複数の束材と、該束材に固定支持されかつ互いに平行にのびて隣り合う複数の大引とを含む大引構造体が施工される（下記特許文献１参照）。
【先行技術文献】
【特許文献】
【０００３】
【特許文献１】特開２００４−２１８２６０号公報
【発明の概要】
【発明が解決しようとする課題】
【０００４】
しかしながら、このような大引構造体は、各大引が、束材のみで支持されるため、地震等による縦横からの力に対して十分な強度を確保することが難しく、耐久性の向上についてはさらなる改善の余地があった。また、大引構造体の各大引は、隣り合う大引と独立して設置されるため、位置ズレや歪みが生じやすく、床鳴りが発生しやすいという問題もあった。
【０００５】
本発明は、以上のような実状に鑑み案出されたもので、大引の長手方向と直角にのびかつ隣り合う全ての大引を連結する連結材を、大引の長手方向に距離を隔てて少なくとも２本設けることを基本として、十分な強度を確保して耐久性を向上しうるとともに、床鳴り等を効果的に抑制しうる大引構造体及びその施工方法を提供することを主たる目的としている。
【課題を解決するための手段】
【０００６】
本発明のうち請求項１記載の発明は、家屋の床下の土間コンクリートに立設される複数の束材と、該束材に固定支持されかつ互いに平行にのびて隣り合う複数の大引とを含む大引構造体であって、前記大引の長手方向と直角にのびかつ隣り合う全ての該大引を連結する連結材が、該大引の長手方向に距離を隔てて少なくとも２本設けられていることを特徴とする。
【０００７】
また、請求項２記載の発明は、前記各大引は、第１の大引と、該第１の大引の長手方向に突き合わされて同一直線状にのびる第２の大引とを含み、前記束材は、前記第１の大引と前記第２の大引とを連結する連結束材を含み、前記連結材の少なくとも１本は、前記連結束材に固定される請求項１記載の大引構造体である。
【０００８】
また、請求項３記載の発明は、前記束材は、前記第１の大引と前記第２の大引とが突き合わされる突合せ部とは反対側の第１の大引の端部を固定支持する端部束材を含むとともに、前記連結材の少なくとも１本は、前記端部束材に固定される請求項２記載の大引構造体である。
【０００９】
また、請求項４記載の発明は、前記束材は、前記土間コンクリートに固着される基部と、該基部から垂直にのびかつ長さ調節可能な支持脚と、該支持脚の上端部に設けられかつ前記大引を下から受ける受材とを含み、前記連結材は、前記束材の前記受材に固着される請求項１乃至３の何れかに記載の大引構造体である。
【００１０】
また、請求項５記載の発明は、前記連結材には、隣り合う前記大引の配設ピッチを示す表示部を有する請求項１乃至４の何れかに記載の大引構造体である。
【００１１】
また、請求項６記載の発明は、第１の大引の下面側に束材を固着するとともに、複数の前記第１の大引を土間コンクリート上に互いに平行に隣り合わせて仮置きする工程と、隣り合う全ての前記第１の大引を、該第１の大引の長手方向と直角にのび、かつ該第１の大引の長手方向に距離を隔てた少なくとも２本の連結材で直接又は束材を介して連結する工程と、前記連結材が水平となるように前記束材の垂直方向の長さを調節し前記各第１の大引の高さを揃える工程と、前記束材の下端側を、前記土間コンクリートに固着する工程と、第２の大引の下面側に束材を固着するとともに、複数の前記第２の大引をそれぞれ前記第１の大引の一端側と突き合わせかつ突合せ部を束材を介して連結する工程と、前記束材の垂直方向の長さを調節して、前記各第２の大引の高さを揃える工程と、前記第２の大引に固定された束材を、前記土間コンクリートに固着する工程とを含むことを特徴とする。
【００１２】
また、請求項７記載の発明は、前記連結材を、前記第１の大引の前記突き合わせ部と反対側の前記第２の大引の端部に固定された前記束材に固定する工程をさらに含む請求項６記載の大引構造体の施工方法である。
【発明の効果】
【００１３】
請求項１に記載の大引構造体は、家屋の床下の土間コンクリートに立設される複数の束材と、該束材に固定支持されかつ互いに平行にのびて隣り合う複数の大引とを含む。そして、大引構造体には、大引の長手方向と直角にのびかつ隣り合う全ての大引を連結する連結材が、大引の長手方向に距離を隔てて少なくとも２本設けられる。
【００１４】
このような大引構造体は、隣り合う大引が、連結材によって平面略矩形状に連結されるため、強度が増し、各大引の相対的な位置ズレや歪みを防止して、床鳴りを効果的に抑制しうる。また、大引構造体は、大引と連結材とが一体となって支持されるため、地震等による縦横からの力に対して十分な強度を発揮でき、耐久性を向上しうる。
【００１５】
また、請求項６に記載の大引構造体の施工方法では、隣り合う全ての第１の大引を、第１の大引と直角にのび、かつ距離を隔てた少なくとも２本の連結材で連結する工程の後に、連結材が水平となるように束材の垂直方向の長さを変えることにより、複数の第１の大引の高さを揃える工程を含む。従って、このような工程を含む大引構造体の施工方法では、隣り合う第１の大引のレベル合わせを容易かつ高精度で行なうことができ、施工性を向上しうる。
【００１６】
さらに、大引構造体の施工方法では、第１の大引の束材を土間コンクリートに固着する工程の後、第１の大引の一端側に、第２の大引を突き合わせて連結する工程が含まれる。従って、第２の大引は、平面略矩形状をなして強固に連結された第１の大引に対して連結されるため、相対的な位置ズレや歪みを防ぎつつ容易に連結できる。
【図面の簡単な説明】
【００１７】
【図１】本実施形態の大引構造体を示す斜視図である。
【図２】連結束材、大引、及び連結材を示す斜視図である。
【図３】表示部が付された連結材を示す斜視図である。
【図４】（ａ）は第１の大引の下面に束材を固着する工程を示す斜視図、（ｂ）は複数の第１の大引が土間コンクリート上に仮置きされる工程を示す斜視図、（ｃ）は第２の大引が第１の大引に束材を介して連結される工程を示す斜視図である。
【図５】他の実施形態の束材を示す斜視図である。
【発明を実施するための形態】
【００１８】
以下、本発明の実施の一形態が図面に基づき説明される。
図１に示されるように、本実施形態の大引構造体１は、家屋の床下の土間コンクリートＤ上に構築される。この大引構造体１は、土間コンクリートＤに立設される複数の束材２と、該束材２に固定支持されかつ互いに平行にのびて隣り合う複数の大引３とを含んで構成され、その上部に図示しない床パネルが施工される。
【００１９】
また、本実施形態の大引構造体１では、各大引３が、該大引３の主要部をなす長尺状の第１の大引３Ａと、該第１の大引３Ａよりも短尺、かつ該第１の大引３Ａの長手方向に突き合わされて同一直線状にのびる第２の大引３Ｂとを含んで構成され、家屋の床面積に応じた長さに設定されている。
【００２０】
本実施形態の束材２は、大引３の下側に複数取り付けられ、第１の大引３Ａと第２の大引３Ｂとを連結する連結束材２Ａ、第１の大引３Ａと第２の大引３Ｂとが突き合わされる突合せ部Ｍとは反対側の第１の大引３Ａの端部を固定支持する一方の端部束材２Ｂ、該突合せ部Ｍとは反対側の第２の大引３Ｂの端部を固定支持する他方の端部束材２Ｃ、及び該連結部材２Ａと該一方の端部束材２Ｂとの間に配される複数の中間束材２Ｄを含む。
【００２１】
また、前記各束材２Ａ、２Ｂ、２Ｃ及び２Ｄは、図２に拡大して示されるように、土間コンクリートＤ（図１に示す）上に接着剤を介して固着される基部６と、該基部６から上方にのびかつ長さ調節可能な支持脚７と、該支持脚７の上端部に設けられかつ大引３を受ける断面略コ字状の受材８とを含む。
【００２２】
前記基部６は、水平にのびる平面略矩形の薄板状に形成される。また、基部６には、例えば、その中心から放射状にのびる複数のリブ６ａが形成され、その強度が高められている。さらに、基部６には、例えば、固着をより強固とするために、コンクリート釘等（図示省略）を打ち込むための孔部６ｂが複数設けられる。
【００２３】
前記支持脚７は、その上端及び下端に夫々逆のネジ溝を有する上下のネジ孔（図示省略）が設けられるターンバックル部７ａと、該ターンバックル部７ａの下のネジ孔に螺合される第１のネジ軸７ｂと、該ターンバックル部７ａの上のネジ孔に螺合される第２のネジ軸７ｃとを含んで構成される。このような支持脚７は、ターンバックル部７ａを回転させることにより、上下方向の長さを調節しうる。また、第１、第２のネジ軸７ｂ、７ｃには、ターンバックル部７ａの位置を固定しうるロックナット１３が設けられる。
【００２４】
前記受材８は、水平にのびかつ大引３の下面３ａが載置される受部８ａと、該受部８ａの両端から上方へ突出しかつ大引３の側面３ｂを受ける一対のフランジ部８ｂ、８ｂとを含む。また、受部８ａには、水平方向に貫通する大引取付用の孔部９が複数設けられている。
【００２５】
次に、本実施形態の大引３は、断面略矩形状の鋼製の角パイプからなる。また、大引３の下面３ａには、受部８ａの孔部９と連通する孔部１０が設けられる。この孔部１０には、受部８ａの孔部９と同一軸芯上に揃えられ、ネジ等の固着具１１が螺合されることにより、束材２と大引３とが一体に固着される。
【００２６】
前記第１の大引３Ａは、図１、図２に示されるように、前記突合せ部Ｍ側が、前記連結束材２Ａの受材８の片側の略半分を使って載置されて固着される。また、図１に示されるように、第１の大引３Ａは、その突合せ部Ｍとは反対側の端部に、前記一方の端部束材２Ｂが固着される。さらに、第１の大引３Ａは、連続束材５Ａと一端の束材５Ｂとの間に、複数の中間束材２Ｄが固着される。
【００２７】
前記第２の大引３Ｂは、図１、図２に示されるように、前記突合せ部Ｍ側が、連結束材２Ａの受材８の残りの半分を使って載置されて固着される。第１、第２の大引３Ａ、３Ｂの間には、例えば３〜５mmの隙間Ｌ１が設けられるのが好ましい。これにより、大引構造体１は、第１の大引３Ａ及び第２の大引３Ｂとの接触による床鳴り等を防ぐことができる。また、第２の大引３Ｂは、図１に示されるように、その突合せ部Ｍとは反対側の端部に、前記他方の端部束材２Ｃが固着される。
【００２８】
そして、本実施形態の大引構造体１には、大引３の長手方向と直角にのびかつ隣り合う全ての大引３を直接、又は束材２を介して連結する連結材４が、大引３の長手方向に距離を隔てて少なくとも２本設けられる。
【００２９】
本実施形態の連結材４は、連結束材２Ａに固定された１本の第１の連結材４Ａと、一方の端部束材２Ｂに固定された１本の第２の連結材４Ｂとを含む。
【００３０】
また、本実施形態の各連結材４Ａ、４Ｂは、図２に示されるように、鋼製かつ断面Ｌ字状のアングル材からなり、垂直方向にのびる垂下部４ａと、該垂下部４ａの上部に連なりかつ水平のびる水平部４ｂとを有する。この水平部４ｂには、受部８ａの孔部９と連通する孔部１２が設けられる。この孔部１２は、束材２の受部８ａに設けられた孔部９及び大引３の孔部１０と同一軸芯上に揃えられ固着具１１により螺合される。これにより、各連結材４Ａ、４Ｂは、各束材２の受材８に固着される。
【００３１】
このように、大引構造体１は、隣り合う大引３が、連結材４によって平面略矩形状に連結されるため、強度が増し、各大引３の相対的な位置ズレや歪み等の不具合を防止できる。従って、大引３の変形に伴う床材等のこじれによる床鳴りを効果的に抑制しうる。また、大引構造体１は、大引３と連結材４とが平面略矩形状となるため、地震等による縦横からの力に対して十分な強度を発揮でき、耐久性を向上しうる。
【００３２】
また、本実施形態の第１の連結材４Ａは、第１の大引３Ａ及び第２の大引３Ｂを支持して大きな負荷がかかる連結束材２Ａを効果的に補強できるため、大引構造体１の耐久性をさらに向上させるのに役立つ。しかも、第１、第２の連結材４Ａ、４Ｂは、大引３の主要部をなす第１の大引３Ａの両端に固着され、大引３の位置ズレや歪み等の不具合をより効果的に防止しうる。
【００３３】
また、本実施形態の連結材４は、連結束材２Ａ及び一方の端部束材２Ｂにそれぞれ１本ずつ固着したものを例示したが、それぞれに２本以上の連結材４が固着されても良いし、必要に応じて、他方の端部束材２Ｃにも固定されてもよい。これにより、大引構造体１の耐久性が、より一層向上しうる。
【００３４】
また、図３に示されるように、本実施形態の連結材４の表面には、隣り合う大引３の配設ピッチＰ等を示す表示部１６が設けられている。このような表示部１６により、施工者は、物差しやメジャー等を用いることなく、正確な配設ピッチで連結材４を固定でき、施工性を高めるのに役立つ。また、表示部１６としては、例えば、切削加工や塗料等によるプリントによって設けることができるが、該連結材４の強度の確保及びコストを抑制する観点より、プリントによって設けられるのが好ましい。
【００３５】
次に、このような大引構造体１の施工方法の一例について説明する。
この大引構造体１の施工方法では、第１の大引３Ａを土間コンクリートＤに固着した後に、第２の大引３Ｂが第１の大引３Ａの長手方向に突き合わされて固定される。
【００３６】
図４（ａ）、（ｂ）に示されるように、本実施形態の施工方法では、まず、第１の大引３Ａの下面３ａ側に、束材２を固着するとともに、複数の第１の大引３Ａを土間コンクリートＤ上に互いに平行に隣り合わせて仮置きする工程が行なわれる。一例として、第１の大引３Ａの上下面を反転させて置かれた第１の大引３Ａに、連結束材２Ａを除いた一方の端部束材２Ｂ及び中間束材２Ｄを固着する。そして、図４（ｂ）に示されるように、第１の大引３Ａをひっくり返して、土間コンクリートＤ上に仮置きされる。
【００３７】
次に、隣り合う全ての第１の大引３Ａを、２本の連結材４で直接又は束材２を介して連結する工程が行なわれる。本実施形態の第１の連結材４Ａは、連結束材２Ａに固定されるとともに、第２の連結材４Ｂは、一方の端部束材２Ｂに固定される。このとき、第１、第２の連結材４Ａ、４Ｂは、各束材２Ａに仮締めにて固定されるのが好ましい。
【００３８】
そして、連結材４が水平となるように束材２の垂直方向の長さを調節して複数の第１の大引３Ａの高さを揃える工程が行なわれる。即ち、第１の連結材４Ａ及び第２の連結材４Ｂがともに水平となるように、各束材２Ａ、２Ｂ及び２Ｄの長さが調節されて、隣り合う第１の大引３Ａの高さが揃えられる。このような第１の大引３Ａのレベル合わせが完了した後、各固着具１１（図２に示す）が本締めされることにより、各第１の大引３Ａ及び第１、第２の連結材４Ａ、４Ｂとが、平面略矩形状をなして強固に連結される。
【００３９】
しかる後に、束材２の下端側の基部６を、土間コンクリートＤに固着する工程が行なわれる。この工程では、例えば、基部６（図２に示す）と土間コンクリートＤとが、接着剤を用いて固着される。また、必要に応じてコンクリート釘等が使用される。
【００４０】
次に、図４（ｂ）、（ｃ）に示されるように、第２の大引３Ｂの下面側に束材２を固着するとともに、複数の第２の大引３Ｂをそれぞれ第１の大引３Ａの一端と突き合わせ、かつその突合せ部Ｍを束材２を介して連結する工程が行なわれる。例えば、上下面をひっくり返して置かれた第２の大引３Ｂの下面３ａに、他方の端部束材２Ｃが固着される。しかる後、第２の大引３Ａは、再度ひっくり返され、連結束材２Ａの受材８（図２に示す）の上面半分に載置されて連結される。
【００４１】
そして、束材２の垂直方向の長さを変えて、各第２の大引３Ｂの高さを揃える工程が行なわれる。この第２の大引３Ｂは、既にレベル合わせが完了している第１の大引３Ａ、及び第１の連結材４Ａを基準に、その高さが揃えられる。
【００４２】
しかる後に、第２の大引に固定された束材２を、土間コンクリートＤに固着する工程が行なわれる。
【００４３】
このように、本実施形態の大引構造体１の施工方法では、連結材４が水平となるように束材２の垂直方向の長さを調節して、隣り合う第１の大引３Ａの高さが揃えられるので、第１の大引３Ａのレベル合わせを容易かつ高精度で行なうことができ、位置ズレや歪みを抑制しつつ、施工性を向上しうる。また、大引構造体１の施工方法では、平面略矩形状をなして強固に連結され、かつ既にレベル合わせが終了した第１の大引３Ａに対して、第２の大引３Ｂが連結されるため、該第２の大引３Ｂのレベル合わせを容易にでき、かつ相対的な位置ズレや歪みを防ぎうる。
【００４４】
なお、大引構造体１の施工方法には、連結材４を、第１の大引３の突合せ部Ｍと反対側の第２の大引の端部を固定する束材２に固定する工程をさらに含めてもよい。具体的には、複数の第２の大引３Ｂを第１の大引３Ａに連結する工程後に、他方の端部束材２Ｃに連結材４が固着される。このような工程により、第２の大引３Ｂの高さを揃える工程において、第１の連結材４Ａだけでなく、他方の端部束材２Ｃに固着される連結材４を基準に、第２の大引３Ｂの高さを揃えることができるので、高い精度でレベル合わせすることができるとともに、大引構造体１の耐久性をさらに向上させうる。
【００４５】
図５には、他の実施形態の束材２が示される。
この束材２は、受部８ａの一部から第１の大引３Ａ側へ突出し、かつフランジ部８ｂを越えて幅方向にのびる平板状の延長部１７が設けられる。この延長部１７には、連結材４の孔部１２と連通する孔部９が設けられる。このような束材２は、連結材４を大引３とは独立して束材２に固着できるので、施工性及び耐久性を向上させ、床鳴り等を効果的に抑制しうる。
【００４６】
以上、本発明の特に好ましい実施形態について詳述したが、本発明は図示の実施形態に限定されることなく、種々の態様に変形して実施しうる。
【符号の説明】
【００４７】
１    大引構造体
２    束材
３    大引
４    連結材
【図１】
2011106116.tif 000003
【図２】
2011106116.tif 000004
【図３】
2011106116.tif 000005
【図４】
2011106116.tif 000006
【図５】
2011106116.tif 000007